(57)【要約】【課題】  アクチュエータカバーを、ヨークに対してガタツキなく正確に位置決めし、且つ確実に固定保持されるようにする。【解決手段】  平坦なベース１１ａとベースから起立されたヨーク部１１ｄ，１１ｅとを有するヨーク１１と、ヨークの上方及び側方を覆うアクチュエータカバー１２とを有する二軸アクチュエータ１０において、アクチュエータカバーはその前端部分と後端部分にそれぞれダボ１２ｅ，１２ｆと係合爪１２ｄを有し、ヨーク１１はその前端部分と後端部分１１ｂ，１１ｃにそれぞれ段部１３ａ，１４ａとダボ１５，１６を有し、アクチュエータカバーの前端部分と後端部分に設けられたダボや係合爪とヨークの前端部分と後端部に設けられた段部やダボとを係合させる。【選択図】図１
2006196173.tif 000002
【特許請求の範囲】
【請求項１】
平坦なヨークベースと、該ヨークベースから起立されたヨーク部とを有するヨークと、該ヨークの上方及び側方を覆うアクチュエータカバーとを有する二軸アクチュエータであって、
上記アクチュエータカバーはその前端部及び後端部にそれぞれ係合部を有し、上記ヨークはその前端部及び後端部にそれぞれ被係合部を有し、上記アクチュエータカバーの前端部及び後端部に設けられた係合部と上記ヨークの前端部及び後端部に設けられた被係合部との係合により、上記アクチュエータカバーが上記ヨークに固定保持される
ことを特徴とする二軸アクチュエータ。
【発明の詳細な説明】
【技術分野】
【０００１】
本発明は、ＣＤ，ＭＤ等やデータストレージ用の情報記録媒体の信号を記録再生するために使用される光学ピックアップ用の二軸アクチュエータに係り、特に二軸ベース上の固定部に固定されたヨークに取り付けられることにより、この二軸ベースを覆うようにしたアクチュエータカバーの取付構造に関する。
【背景技術】
【０００２】
従来、このような光学ピックアップ用の二軸アクチュエータは、光ディスクのような情報記録媒体の信号を記録再生するために使用されている。そして、このアクチュエータは、支持部材に設けられた対物レンズを、フォーカシング方向及びトラッキング方向の二方向に対して移動させ得るようになっている。
【０００３】
このような二軸アクチュエータは、例えば対物レンズが先端に取り付けられたレンズホルダーと、このレンズホルダーに対して接着等により取り付けられたコイルボビンとを有している。
【０００４】
上記レンズホルダーは、一端がこのレンズホルダーの両側に、また他端が固定部に対して固定された二対の板バネによって、固定部に対して垂直な二方向、即ちトラッキング方向及びフォーカシング方向に移動可能に支持されている。
【０００５】
また、上記コイルボビンは、フォーカシング用コイル及びトラッキング用コイルが巻回されている。そして、各コイルに通電することにより、各コイルに発生する磁束が、固定部に取り付けられたヨーク及びそれに取り付けられたマグネットによる磁束と相互に作用するようになっている。
【０００６】
ここで、上述したヨークは、図３に示すように、取り付けられている。即ち、図３において、二軸アクチュエータ１は、その二軸ベース２上に固定されたヨーク３に対して、上方からアクチュエータカバー４が取り付けられている。
【０００７】
ここで、上記ヨーク３は、平坦なベース３ａの両側からＵ字形（図示せず）になるように上方に延びるヨーク部３ｂを有している。このヨーク部３ｂは、図３に示されているように、側方から見たとき、全体がＴ字形になるように、前後に延びる張り出し部３ｃ，３ｄを備えていると共に、上縁から上方に延びる突起３ｅ，３ｆを備えている。
【０００８】
これに対して、アクチュエータカバー４は、両側が大きく開放していると共に、その両側縁の二ヶ所から下方に延びるフック４ａ，４ｂを有している。このフック４ａ，４ｂは、図５に示すようにその下端が内側に突出した係合爪を４ｃを備えている。
【０００９】
このように構成された二軸アクチュエータ１によれば、アクチュエータカバー４が、ヨーク３に対して載置されることにより、このアクチュエータカバー４の両側縁の下端４ｄは、ヨーク３のヨーク部３ｂの突起３ｅ，３ｆの上面に当接する（図４参照）。また、アクチュエータカバー４の各フック４ａ，４ｂは、両側からヨーク３のヨーク部３ｂを挟持する。また、各フック４ａ，４ｂの下端の係合爪４ｃが、ヨーク部３ｂの張り出し部３ｃ，３ｄの下縁に係合する。かくして、アクチュエータカバー４は、ヨーク３に対して固定保持されることになり、二軸ベース２の上方を覆うことになる。
【発明の開示】
【発明が解決しようとする課題】
【００１０】
しかしながら、このような構成の二軸アクチュエータ１においては、アクチュエータカバー４の両側縁の下端４ｄの幅ｔ１が、ヨーク３のヨーク部３ｂに設けられた突起３ｅ，３ｆの外側の幅ｔ２より大きいことから、ヨーク３とアクチュエータカバー４との間にガタツキが発生することになる。これに対して、ガタツキを排除するように、上記幅ｔ１を幅ｔ２により僅かに小さくして、圧入気味に形成すると、アクチュエータカバー４の変形量が大きくなってしまうという問題があった。
【００１１】
また、フック４ａ，４ｂは、図５に示すように、その厚さｔ３が比較的薄く、また幅ｗが比較的狭く形成されていると共に、その長さが比較的長いことから、変形しやすい。このため、ヨーク３のヨーク部３ｂの張り出し部３ｃ，３ｄの下縁から外れてしまうことがあった。
【００１２】
さらに、上述した突起３ｅ，３ｆの外側の幅ｔ２は、アクチュエータカバー４の全長に比較して短いので、アクチュエータカバー４の安定性があまり良くない。また、アクチュエータカバー４の後端部は、二軸ベース２に対して当接しているので、ずれやすいという問題があった。
【００１３】
そこで、本発明は、以上の点に鑑み、アクチュエータカバーが、ヨークに対してガタツキなく、正確に位置決めされ、且つ確実に固定保持されるようにした二軸アクチュエータを提供することを課題とする。
【課題を解決するための手段】
【００１４】
本発明は、上記した課題を解決するために、平坦なヨークベースと、該ヨークベースから起立されたヨーク部とを有するヨークと、該ヨークの上方及び側方を覆うアクチュエータカバーとを有する二軸アクチュエータであって、アクチュエータカバーはその前端部及び後端部にそれぞれ係合部を有し、ヨークはその前端部及び後端部にそれぞれ被係合部を有し、アクチュエータカバーの前端部及び後端部に設けられた係合部とヨークの前端部及び後端部に設けられた被係合部との係合により、アクチュエータカバーがヨークに固定保持されるものである。
【００１５】
従って、本発明にあっては、アクチュエータカバーとヨークは、ともにその前端部と後端部にそれぞれ固定手段を備えているから、アクチュエータカバーとヨークとはその前部と後部とが確実に位置決めされて、前後方向にガタツキなく固定保持される。
【発明の効果】
【００１６】
本発明によれば、アクチュエータカバーとヨークは、ともにその前端部と後端部にそれぞれ固定手段を備えているので、アクチュエータカバーとヨークの前部と後部とを確実に位置決めすることができる。そのため、アクチュエータカバーとヨークとを前後方向にガタツキなく固定保持することが可能になる。
【００１７】
特に前記固定手段の一例として、アクチュエータカバーは、その前端に設けられたフックが、ヨーク前部に係合すると共に、アクチュエータカバーの前部がヨークに対して固定され、またその後端に設けられたダボが、ヨークの立上り部の下縁に係合すると共に、アクチュエータカバーの下面が、立上り部の上縁に当接する。これにより、このアクチュエータカバーは、その前部及び後部が、フック及びダボにより、ヨークに対して位置決めされるので、このアクチュエータカバーは、前後方向に関してガタツキなく固定保持されることになる。
【００１８】
フックが、その下端から前方に突出する係合爪を有している場合には、この係合爪が、ヨークの下縁に係合することにより、アクチュエータカバーは、その前部が、上下方向に関してガタツキなく固定保持されることになる。
【００１９】
ヨークの上面に、アクチュエータカバーの下端縁の後方移動を抑止するダボが形成されている場合には、アクチュエータカバーは、その前部が、前方に関してフックにより、また後方に関して上記ダボにより移動が抑止される。これにより、アクチュエータカバーは、その前部が、前後方向に関して安定した状態で固定保持される。
【００２０】
ヨークが、二軸ベースに対して一体に形成されている場合には、ヨーク及びアクチュエータカバーが、二軸ベースに対して安定した状態で保持されることになる。
【発明を実施するための最良の形態】
【００２１】
以下、本発明二軸アクチュエータの最良の形態を、図１と図２を参照しながら詳細に説明する。尚、以下に述べる最良の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明二軸アクチュエータの最良の形態の一つを示している。図１において、二軸アクチュエータ１０は、その二軸ベースと一体に形成されたヨーク１１に対して、上方からアクチュエータカバー１２が取り付けられている。
【００２３】
ここで、上記ヨーク１１は、図示の場合、二軸ベースと一体に形成されており、後方に向かってほぼＵ字形に形成された平坦なベース１１ａの後方に延びる後端部分１１ｂ，１１ｃの内側縁から上方に起立するヨーク部１１ｄ，１１ｅと、この後端部分１１ｂ，１１ｃの外側縁から上方に起立する立上り部１３，１４を有している。
【００２４】
この立上り部１３，１４は、ヨーク１１の後端部分１１ｂ，１１ｃの外側縁から上方に延びていると共に、その後縁上部が後方に突出する逆Ｌ字形に形成されている。これにより、この立上り部１３，１４は、その後縁に、下向きの段部１３ａ，１４ａを備えることになる。
【００２５】
さらに、このヨーク１１は、そのベース１１ａの前方領域の両側に、上方に突出するダボ１５，１６を備えている。
【００２６】
これに対して、上記アクチュエータカバー１２は、ヨーク１１のベース１１ａ及び部分１１ｂ，１１ｃに対応して、ほぼ環状に形成された上部１２ａと、この上部１２ａの外周縁から下方に延びる側部１２ｂとから構成されている。
【００２７】
このアクチュエータカバー１２は、その側部１２ｂの前端の下縁から下方に延びるフック１２ｃを備えていると共に、このフック１２ｃは、その下縁から前方に突出した係合爪１２ｄを有している。このフック１２ｃは、アクチュエータカバー１２がヨーク１１上に載置されたとき、図２に示すように、このヨーク１１のベース１１ａの後縁から下方に進入し、係合爪１２ｄがこのベース１１ａの下縁に係合するようになっている。
【００２８】
これにより、アクチュエータカバー１２は、その前部が、ヨーク１１に対して、上下方向に関して位置決めされ且つ係止される。さらに、アクチュエータカバー１２の側部１２ｂの前部の下縁が、ヨーク１１のベース１１ａの上面に当接すると共に、その内側が、ヨーク１１のベース１１ａ上に設けられたダボ１５，１６に係合することにより、アクチュエータカバー１２は、後方への移動が抑止される。
【００２９】
また、アクチュエータカバー１２は、その側部１２ｂの後端の内面に、前方に向かって突出する一対のダボ１２ｅ，１２ｆを備えている。このダボ１２ｅ，１２ｆは、アクチュエータカバー１２がヨーク１１上に載置されたとき、図２に示すように、このヨーク１１の立上り部１３，１４の後縁の段部１３ａ，１４ａに係合するようになっている。
【００３０】
これにより、アクチュエータカバー１２は、その後部が、ヨーク１１に対して、上下方向に関して位置決めされ且つ係止されると共に、このダボ１２ｅ，１２ｆの端面が、この立上り部１３，１４の側縁に当接することにより、前方への移動が抑止されるようになっている。
【００３１】
本発明二軸アクチュエータの最良の形態の一つによる二軸アクチュエータ１０は、以上のように構成されており、アクチュエータカバー１２が、ヨーク１１に対して載置されることにより、先づアクチュエータカバー１２の後端が、ヨーク１１の後端部分１１ｂ，１１ｃに整合されて、ダボ１２ｅ，１２ｆが、ヨーク１１の立上り部１３，１４の段部１３ａ，１４ａに係合される。
【００３２】
このとき、アクチュエータカバー１２の上部１２ａの下面が、立上り部１３，１４の上縁に当接する。その後、このアクチュエータカバー１２の前縁のフック１２ｃが、ヨーク１１のベース１１ａの後端の下縁に係合される。これにより、アクチュエータカバー１２は、上下方向に関して、位置決めされ且つ固定保持されると共に、前後方向に関しても、位置決めされ且つ固定保持されることになる。かくして、アクチュエータカバー１２は、ヨーク１１に対して固定保持されることになり、二軸ベースの上方を覆うことになる。
【００３３】
このように、上述の最良の形態においては、アクチュエータカバーが、その前部及び後部が、フック及びダボにより、ヨークに対して位置決めされる。このため、このアクチュエータカバーは、前後方向に関してガタツキなく固定保持されることになる。さらに、このアクチュエータカバーは、その前縁及び後縁にて、ヨークに対して係止されることにより、二つの係止部分の距離が比較的長いので、ヨークに対して、安定した状態で固定保持されることになる。
【００３４】
さらに、上記フックは、スペース的に余裕があるため、厚さ及び幅に制約がなく、ある程度の強度を有するように形成されるので、変形が少ない。従って、アクチュエータカバーは、ガタツキなく、且つフックが変形することなく、しかもヨークに対して、正確に位置決めされ安定した状態で固定保持されることになる。
【００３５】
尚、上述した最良の形態においては、ヨーク１１が二軸アクチュエータ１０の二軸ベースと一体に形成されているが、これに限らず、二軸ベースと別体に形成されたヨークの場合にも、本発明を適用し得ることは明らかである。
【図面の簡単な説明】
【００３６】
【図１】本発明による二軸アクチュエータの最良の形態の一つを示す分解斜視図である。
【図２】図１の二軸アクチュエータの要部を示す断面図である。
【図３】従来の二軸アクチュエータの一例の要部を示す断面図である。
【図４】図３の二軸アクチュエータのアクチュエータカバーとヨークとの当接部分の部分拡大断面図である。
【図５】図３の二軸アクチュエータにおけるアクチュエータカバーのフックの拡大斜視図である。
【符号の説明】
【００３７】
１０…二軸アクチュエータ、１１…ヨーク、１１ａ…ベース（ヨークベース）、１１ｂ…後端部分（後端部）、１１ｃ…後端部分（後端部）、１１ｄ…ヨーク部、１１ｅ…ヨーク部、１２…アクチュエータカバー、１２ｄ…係合爪（係合部）、１２ｅ…ダボ（係合部）、１２ｆ…ダボ（係合部）、１３ａ…段部（被係合部）、１４ａ…段部（被係合部）、１５…ダボ（被係合部）、１６…ダボ（被係合部）
【図１】
2006196173.tif 000003
【図２】
2006196173.tif 000004
【図３】
2006196173.tif 000005
【図４】
2006196173.tif 000006
【図５】
2006196173.tif 000007